(57)【特許請求の範囲】
【請求項１】
ワイヤレス電話システムであって、
ワイヤレスプロトコルを使用して移動ユニットに通信するための少なくとも１つのアクセスポイントと、
各々がネットワークアドレスと電話内線アドレスとを有する複数の移動ユニットと、
中央局に接続されたＰＢＸと、
前記アクセスポイントに直接接続され、かつ、前記中央局に直接接続された電話サービスインターフェースと、
を備え、
前記電話サービスインターフェースは、前記ＰＢＸから離れて位置し、かつ、ゲートウェイを有し、該ゲートウェイが前記移動ユニットの電話内線アドレス及び該移動ユニットのネットワークアドレスをマッピングするメモリを含み、
前記移動ユニットは、前記ネットワークアドレスを使用して他の移動ユニットとの電話通話を行うことができ、前記移動ユニットは、前記電話サービスインターフェースを介しての前記電話内線アドレスに宛てた前記中央局からの電話通話を受けることができる
ことを特徴とするワイヤレス電話システム。
【請求項２】
請求項１に記載したワイヤレス電話システムであって、前記移動ユニットはＤＴＭＦトーンを生成し、前記アクセスポイントを介して該ＤＴＭＦトーンを前記電話サービスインターフェースに通信して、前記中央局との電話接続を確立するように構成されたことを特徴とするワイヤレス通信システム。
【請求項３】
移動ユニットに対するワイヤレス通信を行うための少なくとも１つのアクセスポイントと、ＰＢＸから離れた位置にあって、前記アクセスポイントと中央局とに直接接続された電話サービスインターフェースとを有するローカルアリアネットワークにおいて、前記移動ユニットに対する電話サービスを提供する方法であって、
前記移動ユニットに電話内線番号とネットワークアドレスとを割り当て、
前記ネットワークアドレスを使用して、複数の前記移動ユニットの間でデータメッセージを使用する電話接続を確立し、
データメッセージとしてＤＴＭＦ信号を前記移動ユニットから前記電話サービスインターフェースに与えて前記移動ユニットから前記中央局への外線電話接続を確立し、
前記中央局から電話内線番号を表す信号を直接受信し、前記内線番号をネットワークアドレスにマッピングして、前記中央局から前記移動ユニットへの電話接続を確立する、
ことを含む方法。
【発明の詳細な説明】
【０００１】
【産業上の利用分野】
本発明は、一般には改良されたデータ通信システム、より詳細にはローカルエリアネットワーク（ＬＡＮ）と構内交換（Private Branch Exchange : ＰＢＸ）電話システム間のワイヤレスディジタルデータ通信のための改良されたシステムに関するものである。さらに詳しく述べると、本発明は、ＰＢＸの音声メッセージ機能にアクセスするためイーサネットによってワイヤレスディジタル装置をＰＢＸに接続するためのシステムを提供する。
【０００２】
【従来の技術】
開発されたワイヤレスＬＡＮは、現在、オフィス、小売店、倉庫や工場などの大きな産業施設において使用されている。これらのＬＡＮは、配線やケーブルを取り付ける煩わしさや費用が不要であり、コンピュータ、プリンタ、サーバー、その他の装置の間のデータ通信を提供する。データ通信に加えて、あるＬＡＮは装置とＬＡＮの間の音声通信を提供する。さらに、電話接続を使用してＬＡＮが遠隔装置と通信することを可能にするシステムも入手できる。
【０００３】
ＬＡＮからの電話通信に関する問題は電話の限られた機能性である。ＬＡＮの電話は、オフィス電話システムのユーザーにとって絶対に必要になってきた音声メール、呼出者ＩＤ、およびＰＢＸのその他の機能性を提供しない。従って、ＬＡＮ電話システムの限られた機能性のせいで、もう１つの電話システム、たとえばＰＢＸが必要である。
【０００４】
【発明が解決しようとする課題】
本発明の第１目的は、ワイヤレスＬＡＮまたはＷＡＮをＰＢＸへ接続する改良されたデータ通信システムを提供することである。
【０００５】
本発明の第２目的は、ワイヤレスＬＡＮまたはＷＡＮ用のＨＩＵ（Host Interface Unit ）とＩＳＰ（Internet Service Provider)の間でデータ通信する方法を提供することである。
【０００６】
本発明の第３目的は、ワイヤレス携帯端末を通してインターネットと通信することによって、一般に入手できるマルチメディアデータファイルへの改良されたアクセスを提供することである。
【０００７】
本発明の第４目的は、ＰＢＸとワイヤレス携帯端末の間でデータをルートするためワイヤレスＬＡＮまたはＷＡＮ用の改良されたＨＩＵを提供することである。
【０００８】
本発明の第５目的は、ＩＳＰとワイヤレス携帯端末の間で通信データをルートするため、イーサネットブリッジとして動作するワイヤレスＬＡＮまたはＷＡＮ用の改良されたＨＩＵを提供することである。
【０００９】
本発明の第６目的は、トークンリングネットワーク上のＰＢＸに接続されたＨＩＵにアクセスポイントを通じて接続されたワイヤレスＬＡＮまたはＷＡＮを提供することである。
【００１０】
本発明の第７目的は、金銭登録機とＨＩＵ間の無線通信を共用する、金銭登録機に統合されたディジタル電話機を提供することである。
【００１１】
本発明の第８目的は、単一プロセッサを使用して複雑な機能を実行し、無線通信を行うワイヤレス携帯端末を提供することである。高品質ディジタル信号により、一定のデータ処理機能（たとえば音声認識）をＨＩＵが実行できるので、移動体ユニット（Mobile Unit:ＭＵ）は単一プロセッサだけで済む。
【００１２】
本発明の第９目的は、ＰＢＸまたは中央局（Central Office) 電話回線に接続されたネットワークと金銭登録機の間でデュアルデータ／音声通信を行うことである。
【００１３】
【課題を解決するための手段】
本発明の好ましい実施例においては、ＬＡＮ上の移動体ユニット（ＭＵ）はＰＢＸにイーサネット接続を提供するアクセスポイント（ＡＰ）に無線信号によって接続される。本発明の好ましい実施例においては、ＭＵはシステム上で固有のアドレスをもつ携帯端末であり、データと音声の２つの伝送チャンネルを備えている。これにより、ＭＵがＰＢＸの音声メール機能にアクセスすることができ、そしてＰＢＸがワイヤレスＬＡＮ上のデータ記憶装置にアクセスすることができる。（ここでは、用語「移動体ユニット」はディジタル無線通信によってＡＰへデータを送信するあらゆる携帯装置または定置装置を指す）
【００１４】
本発明の別の実施例においては、統合されたマシンコード読取り装置とＰＢＸに接続されたＡＰと通信するためのラジオを有する携帯端末は、マシンコード読取り装置で識別された項目に関連付けられたヘルプおよび命令ファイルと、ＬＡＮからダウンロードされたデータを表示するためにディスプレイを備えている。
【００１５】
ＰＢＸを通じてアクセスされる情報は手持ち型端末へダウンロードすること可能であり、多くの形式で提示される。情報はＰＢＸの音声メールサーバーからのメッセージ、電子メール、または遠隔装置からのデータを含むことがある。データは静止画、テキスト、音声、またはビデオの形式で提示される。標準データプロトコル（たとえばインターネット上で現在使用されているもの）の使用は、多くのハードウェアプラットフォームにおいて閉じた商用通信ネットワークによる広域アクセス可能性を許す。
【００１６】
本発明の好ましい代替実施例は、ワールドワイドウェブ上のサイトを参照するため使用されるＵＲＬ（uniform resource locator）など、１つまたはそれ以上の遠隔ファイルロケーションをもつマシン読取可能コード化ラベルを有する。これらのＵＲＬは、ワイヤレス通信ネットワークを通じて入手できる種々の局所および遠隔アドレスからデータファイルを検索するために携帯端末によって使用される。マシンコード化ラベルは高密度バーコードたとえばＰＤＦ４１７でコード化することが好ましい。これらのＵＲＬは、選択のためデータ検束要求を遠隔アドレスへ提出するハイパーリンクの形で端末のディスプレイに表示することができる。ハイパーリンクは直接アドレス（ＵＲＬ）として、またはアドレス用にハイライトされたタイトルとしてディスプレイに提示してもよいであろう。
【００１７】
添付図面と以下の詳細な説明から、本発明はより完全に理解され、真価が認められるであろう。
【００１８】
【実施例】
本発明の好ましい実施例においては、イーサネットに接続されたＡＰとＭＵ間のディジタルデータ通信に無線モジュールが使用されている。ＰＢＸはイーサネットに接続されており、ＭＵは直接に、またはルーチング機能すなわちブリッジング機能を提供することができるＨＩＵを通じてＰＢＸと通信することができる。ＭＵはＰＢＸを通じて遠隔コンピュータまたはサーバーに接続することができ、さらにＰＢＸの音声メール機能にアクセスすることができる。
【００１９】
別の好ましい実施例においては、ＰＢＸが利用できないとき、無線モジュールがＨＩＵに接続する。ＨＩＵは最小限の２つのインタフェースを有する。第１インタフェースは電話回線接続用であり、第２インタフェースはワイヤレス装置からの１つまたはそれ以上の無線信号用である。ＨＩＵは一般に利用可能な中央局（Central Office: ＣＯ）電話回線に接続することができる。ＣＯ電話回線は、ＰＯＴＳ（Plain Old Telephone Service), ＩＳＤＮ（Integrated Services Digital Network), およびＴ−１回路を含むが、それらに限定されない。ＨＩＵはＰＩＰ（Point-to-Point Procotol)を使用してインターネットまたは遠隔コンピュータと通信する。ワイヤレス装置は、移動体ユニット、たとえばワイヤレス電話機、ペイジャー、ノートブックコンピュータ、または無線通信手段を備えた他のいろいろな携帯装置であってもよい。定置装置はコンピュータ、プリンタ、ファイルサーバー、ファクシミリ、ＬＡＮ、およびＷＡＮであってもよい。ＨＩＵはイーサネットポート用の追加インタフェースを備えることができる。またワイヤード標準型電話機用のジャックを追加することができる。
【００２０】
本発明の移動ユニットはワイヤレス・ディジタルラジオを使用して、ワイヤレスネットワークを通じてＨＩＵとデータを通信する。ワイヤレスネットワークは、ＬＡＮ（たとえば Symbol 社の SPECTRUM24 ( 登録商標) スプレッドスペクトル周波数ホッピング通信ネットワーク）、または広域通信ネットワークシステム（たとえばセルラーディジタルパケットデータ（ＣＤＰＤ）通信プロトコルを使用するネットワークシステム）、またはＬＡＮシステムとＷＡＮシステムの組合せのどれであってもよい。
【００２１】
好ましい実施例の場合、ＡＰはイーサネットに接続しており、計算機能とデータ保存機能はイーサネット上のコンピュータまたはサーバーによって実行されるので、システムと通信しているＭＵの計算用メモリと電力は少なくて済む。システムがＰＢＸを含んでいない場合、ＡＰはＨＩＵに接続する。ＨＩＵは高速通信リンク（たとえば市販のＴ１，Ｔ２，またはＴ３型電話接続）を通じて他の遠隔ネットワークに接続されていることが好ましい。そのような接続を通じて、ＨＩＵは標準ＴＣＰ／ＩＰおよび他の標準通信プロトコルを使用しているサードパーティ・サーバーと通信して、データを送信／検索することができる。
【００２２】
好ましい１つの実施例の場合、ＭＵは統合マシンコード読取り装置を備えた携帯端末である。以下、統合バーコードレーザースキャナを使用している携帯端末に関してシステムを説明するが、マシンコード読取り装置が無線周波数識別タグ読取り装置、像を記録する撮像能力を備えたＣＣＤバーコード読取り装置、または商品のコード化記号をデコードすることができる任意の別形式のマシンコード読取り装置であってもよいことは、この分野の専門家に理解されるであろう。携帯端末で収集されたデータはＨＩＵへ送信される。
【００２３】
以下、ワイヤレスＬＡＮまたはＷＡＮをＰＢＸまたはＣＯ電話回線へ接続する改良されたデータ通信システムに関して本発明を説明するが、上に述べたたように、データが無線によって遠隔装置からイーサネット上のＡＰへ通信されるどんな環境においても本発明を使用することができることは、この分野の専門家に理解されるであろう。
【００２４】
図１に示した好ましい実施例の場合、サイト１０内のＭＵ１２Ａ〜１２Ｅは、複数のアクセスポイント１３Ａ，１３Ｂを通じてＨＩＵ１４と通信する。上に述べたように、ＭＵはＬＡＮの中でＳＰＥＣＴＲＵＭ２４( 登録商標 )ネットワークで通信する。ネットワークは、複数のアクセスポイント１３Ａ，１３Ｂを通じてイーサネットＬＡＮ１６へのトランスペアレントなワイヤレス接続を提供する。各アクセスポイントはＳＮＭＰ（Simple Network Management Protocol) に適合していることが好ましい。
【００２５】
ＳＰＥＣＴＲＵＭ２４（登録商標）は、既存のワイヤードＬＡＮ中枢に接続することができる複数のアクセスポイントをを使用して大容量ネットワークを提供する周波数ホッピング変調技術を用いている。システムは、或るセルが別のセルと同時に同じ周波数で動作する確率を最小にする７０以上の重複しない周波数を用いている。システムは２〜２．５Ｇｈｚの周波数帯域で仕事をするように設計されている。
【００２６】
イーサネットＬＡＮ中枢１６（図１）を通じてＨＩＵ１４に集められたデータは局所で処理される。受け取ったデータは応答を要求する限り、ＨＩＵ１４はデータを検索し、情報を処理し、データをＭＵへ送り返す。ＭＵの要求がＨＩＵ１４に格納されていないデータの検索を要求している場合には、ＨＩＵ１４は、ＷＡＮ上のＰＢＸ３６に対するイーサネット接続を通じて、ネットワークＩＤまたはＩＰアドレス可能なサーバー３２やパーソナルコンピュータ（ＰＣ）３４などの外部ソースからデータを検索することができる。ＭＵは、さらに、ＬＡＮ上の他の装置へデータを送信するために使用することができる。ＭＵが音声通信チャンネルを備えている場合は、ＭＵを電話として使用し、ＬＡＮ上の他のＭＵと通信することもできるし、ＰＢＸ３６を通じて遠隔場所と通信することもできる。ＰＢＸ３６は、さらに、電話回線を通じて接続された遠隔装置たとえばインターネット４０またはサーバー４２とＭＵ１２Ａ〜１２Ｅ，２２Ａ〜２２Ｄ間の通信を提供する。
【００２７】
ＨＩＵ１４は、さらに、広域通信ネットワーク３０を使用して、関連サイト２０にある別のホスト（ＨＩＵ）２４とデータを通信することができる。さらに、２つのサイトをリンクして、サイト１０に置かれたＭＵ１２Ａとサイト２０に置かれたＭＵ２２Ａ間のパススルー通信を提供するもできるであろう。
【００２８】
本発明の好ましい実施例の場合、ＨＩＵ１４とＨＩＵ２４は、広域ネットワーク３０を通じて、インターネットサーバーによって使用されるようなオープン標準プロトコルとデータタイプを用いてデータを通信する。このようなシステムは、複雑なデータ変換ルーチンや翻訳ルーチンを使わずに、ＨＩＵ１４がサーバーからデータを検索して使用することを許す。好ましい実施例においては、さらに、ＭＵ１２Ａ〜１２ＥがＨＩＵ１４を通じてデータをトランスペアレントに検索することができるように、オープンアーキテクチュー規格がＭＵに組み込まれている。機密扱いのデータに関しては、システムが暗号技術を用いるか、安全な閉じた通信リンクを使用することが好ましい。
【００２９】
Ａ．  携帯端末
図２に、ＭＵが携帯端末である本発明の好ましい実施例を示す。端末７０はディスプレイ７２を備えている。ディスプレイ７２はタッチセンス面をもつＣＧＡまたはＶＧＡ型ビデオディスプレイであることが好ましい。ディスプレイはビデオディスプレイとデータ入力装置の２つの機能を果たす。端末７０は、さらに、タッチスクリーン７２を起動させるため使用できるペン７３、または自動識別バーコード読取り装置を備えることができる。
【００３０】
好ましい実施例の場合、端末７０は、さらに、種々のユーザー機能を実行する限定された数の起動ボタン７６，７７，７８を備えている。重要な機能はタッチセンススキャナの画面上に定義することができる。
【００３１】
本発明の好ましい実施例の場合、端末７０はマイクロホン７１とスピーカー７４を含むビデオ通信装置を備えている。別の実施例の場合、ヘッドセット用の接続ポート７４Ａが設けられている。この音声通信装置は電話として、すなわち音声メールメッセージと、ＨＩＵによってブロードキャストされた音声データを受け取るために使用できる。ビデオメッセージはさらにビデオディスプレイ７２へ送信することもできる。そのほか、携帯端末の音声通信装置を使用して、携帯端末に音声起動制御コマンドを与えることもできる。
【００３２】
データの収集はペン７３内のバーコードスキャナ、すなわち一体構造のスキャナ７５で行われることが好ましい。スキャナは一次元および二次元バーコード（たとえば、どこでも見かけるＵＰＣコードやＰＤＦ４１７コード）を読み取る。本発明の別の実施例の場合、スキャナは端末から取り外すことが可能であり、短レンジ無線リンクとそれ自身のバッテリ電源、またはワイヤード接続のどちらかを備えている。
【００３３】
携帯端末７０はイーサネット上のＡＰを通してＰＢＸと、またはワイヤレスラジオ８０を通じてＨＩＵと通信する。本発明の好ましい実施例の場合、ラジオ８０は、IEEE P80.2.11-1997  に準拠した周波数ホッピング通信システムを用いてＬＡＮを通じて通信する、 Symbol Technologies, Inc.の SPECTRUM24(登録商標 )PCMCIA TYPE II  カードである。規格は、IEEE Standards Department, 445 Hoes Lane, P.O.Box 13311, Piscataway, NJ 08855-1331  から入手することができる。規格についてこれ以上の説明は省略する。システムは少なくとも１メガビット／秒のデータスループットを用いている。送信するデータの量によっては、個別通信システム（たとえば、Symbol Technologies, Inc. から入手できる SPECTRUM ONE(登録商標) ）を用いることもできる。また、十分な帯域幅と安全機密が得られる他の多くの周波数帯域とデータ符号化方式を使用することもできる。
【００３４】
図２に示した携帯端末の人間工学的設計は、端末を線Ａ−Ａに沿った水平な構成で使用すること、または線Ａ−Ａに対し垂直な構成で使用することを許す。端末は、ビデオシステムがユーザーの好みを反映するようそのディスプレイを自動的に再構成することを許す再構成キー設定を備えている。再構成キー７９Ａはビデオディスプレイを自動的に再構成して、最初の構成（たとえば風景）から第２の構成（たとえばポートレート）へディスプレイの構成を変更する。再構成機能はファシリティが１つ以上のやり方で携帯端末を固定ステーションに接続することを許す。
【００３５】
図３は、図２に示した携帯端末の基本的サブコンポーネントシステムを示す。図示のように、携帯端末７０のＣＰＵ７０１は、ラジオ７２、走査サブシステム７０４、ビデオサブシステム７０５、電話サブシステム７０６、データ入力装置７０７、およびＥＡＳタグ起動化／非起動化回路７０８と通信する。
【００３６】
図４と図５は、本発明の携帯端末の別の実施例を示す。図４に示すように、端末１００はディスプレイ１１０を備えている。ディスプレイ１１０は、フルビデオ画像を端から端までスクロールするためのマルチコンタクト・ナビゲーション・パッド１０６を備えたパーシャルＣＧＡ、ＶＧＡ、またはスーパーＢＧＡディスプレイである。端末１００は、そのほかに、バーコードラベル１２２を読み取るためのスキャナ１２０、３個の入力ボタン１０１，１０２，１０３、スピーカー１０４、およびマイクロホン１０５を備えている。端末１００は、さらに、図５に示したケース内にラジオ１０８と再充電可能なバッテリ１０７を装備している。図５には、さらに、主回路ボード１１１、スキャンエンジン１２０Ａ、および再充電回路（図示せず）に接続されたバッテリ再充電端子１０７Ａ，１０７Ｂが示されている。さらに、オプション電話アプリケーションのための独立回路ボード１０９が示されている。端末はバッテリ再充電保護回路を備えているが、図示されていない。
【００３７】
図６，７，８，９，１０は、本発明の好ましい実施例の異なる構成を用いているシステムの種々の構成要素を示す。図６，７，８，９は、ＡＰを通じてイーサネットに接続しているＭＵを示す。図１０はＡＰを通じてトークンリングネットワークに接続しているＭＵを示す。ＡＰはイーサネットまたはトークンリングネットワークへのアクセスを提供し、各ＡＰは同時に最大２５の無線信号を受け取ることができる。ネットワークはＰＢＸ６３０を含むＬＡＮまたはＷＡＮの一部であってもよいし、あるいはＡＰはＰＢＸ６３０を含むネットワークに接続するＨＩＵ６００に接続することもできる。ＡＰがＨＩＵ６００に接続すると、ＨＩＵ６００はＡＰとＰＢＸ６３０間を連絡するブリッジすなわちルーターとして機能する。
【００３８】
Ｂ．システムの構成
図６は、ＭＵ６１２Ａ〜６１２ＣのためのＡＰ６１０、ＭＵ６２２Ａ〜６２２ＣのためのＡＰ６２０、ＨＩＵ６００、およびサーバー６４０が同じイーサネット中枢に接続されているシステムを示す。ＭＵ６１２Ａ〜６１２Ｃ、６２２Ａ〜６２２Ｃからの通信は直接にＰＢＸ６３０へ、またはイーサネット上の他の装置の１つへ行くことができる。データはＨＩＵ６００の中で処理することもできるし、またはサーバー６４０からアクセスすることもできる。電話通信は、ＰＢＸ６３０を通過せずに、ネットワーク内の他の装置、たとえばＭＵ６１２ＡとＭＵ６２２Ａの間で行うことができる。
【００３９】
図７は、ＬＡＮ６７０がＨＩＵ６００を通じてＷＡＮ６５０上のイーサネットに接続されているシステムを示す。この構成の場合、ＨＩＵ６００はＬＡＮ６７０とＷＡＮ６５０間のルーチング機能すなわちブリッジング機能を果たす。ＰＢＸ６３０はＷＡＮ６５０上に置かれており、ＬＡＮ６７０の外側の装置との通信のみがＨＩＵ６００を通してＷＡＮ６５０へ送られる。ＬＡＮ６７０のほかに、他のネットワーク、たとえばＬＡＮ６８０やＷＡＮ６９０や装置、たとえばサーバー６４０をＷＡＮ６５０に接続して、ＰＢＸ６３０と通信することができる。
【００４０】
図８は、ＰＢＸが使用されていなく、ＨＩＵ６００が電話システムとのインタフェースになっているシステムを示す。ＨＩＵ６００はデータ保存機能と処理機能のほかに、音声メール機能を提供する。外部のロケーションとの電話通信はＣＯ電話回線６０２で接続している。ＣＯ６０２はだいたいどんな市販のシステム（たとえばＰＯＴＳ、ＩＳＤＮ、またはＴ１）であってもよい。データは、電話システムを通じてアクセスした遠隔装置からばかりでなく、ＬＡＮ内のサーバー６４０からＭＵ６１２Ａ〜６１２Ｃ、６２２Ａ〜６２２Ｃによってアクセスすることができる。
【００４１】
図９は、ブリッジすなわちルーター６７５を使用してＬＡＮ６７０をＰＢＸ６３０と接続するＷＡＮ６５０に接続しているシステムを示す。ＭＵはＰＢＸ６３０と接続せずに、ＬＡＮ６７０内の装置と通信することができる。ＬＡＮ６７０上のＭＵ６１２Ａ〜６１２Ｃ、６２２Ａ〜６２２ＣがＷＡＮ６５０上の装置をアドレスすると、ルーター６７５はＬＡＮ６７０からＷＡＮ６５０へデータを渡すだけである。
【００４２】
図１０は、ＨＩＵ６００がトークンリング・ネットワーク６５４に接続されているシステムを示す。ＭＵ６１２Ａ〜６１２Ｃ、６２２Ａ〜６２２Ｃとの無線通信はＡＰ６１０と６２０を通じてＨＩＵ６００に接続される。ＭＵ６１２Ａ〜６１２Ｃ、６２２Ａ〜６２２Ｃと通信するために、ＨＩＵ６００は処理、ルーチング、およびデータ保存の各機能を提供する。ＭＵ６１２Ａ〜６１２Ｃ、６２２Ａ〜６２２Ｃは、さらに、装置のネットワークＩＤまたはＩＰアドレスを使用して、ＨＩＵ６００を通じてトークンリング・ネットワーク６５４上の他の装置をアドレスすることができる。これにより、ＭＵ６１２Ａ〜６１２Ｃ、６２２Ａ〜６２２Ｃは、電話通信および音声メッセージのためのＰＢＸ６３０、およびトークンリングネットワーク６５４上の他の装置、たとえばサーバー６５５、ＰＣ６５５、ＬＡＮ６８０、およびＷＡＮ６９０と接続することができる。
【００４３】
上に述べたように、本発明の好ましい実施例の場合、ＭＵはテキストと図形を表示する高解像度画面と双方向ラジオを備えたページャーまたは電話であってもよい。本発明の文脈において、これらの対話マルチメディア装置はＰＢＸまたはＣＯ電話回線を通じてＬＡＮ上の装置、たとえばＰＣ、プリンタ、およびサーバー、システムの他のユーザー、および遠隔ロケーションと通信するために使用される。これらの装置は、さらに、ユーザーが音声メッセージング装置にアクセスすることを可能にし、かつ標準ＰＢＸ電話と同じ機能性を提供する。
【００４４】
図４に示した本発明の好ましい実施例の場合、情報はワイヤレスネットワーク１３０を通じて携帯端末１００へダウンロードされる。携帯端末はＤＯＳ、またはブラウザ型グラフィカル・ユーザーインタフェースを備えたウィンドウズオペレーティングシステムである。端末のディスプレイに表示されたデータは他の情報への「リンク」を含んでいるであろう。もしリンクがナビゲーション・キー１０６によって（またはタッチセンス・ディスプレイパッドを使用している場合は、選択項目にタッチすることによって）起動されれば、携帯端末はコントローラ１５０によって追加のデータを検索するであろう。コントローラに記憶されたデータは直接に携帯端末にダウンロードされる。代わりに、「リンク」はインターネット接続などの遠隔ソースに格納されたデータファイルを提示する。その場合には、コントローラ１５０はＷＡＮを通じてその要求を送り、データを検索し、そのデータを携帯端末へルートする。リンクは、そのほかに、埋込みパスワードと、選択したデータフィールドの検索のため遠隔サーバーによって要求されたデータ要求命令を含むこともできる。
【００４５】
上に述べた構造は、標準プログラミングツール（たとえぱＨＴＭＬ３．０）を使用して、携帯端末１００の動作のためのイントラネット／インターネット環境を生成し、かつシステムで使用するため外部ソースからデータファイルを容易に検索し、変換することを許す。
【００４６】
携帯端末は、さらに、音声データファイルをダウンロードするために使用できるであろう。これは視覚障害のあるユーザーに特に役立つであろう。小さいプリントを読むことが困難であるこれらのユーザーは、バーコードを走査し、音声出力によって情報を受け取ることができるであろう。ユーザーに援助が必要である場合は、さらに携帯端末に作業用電話サブシステムを装備することもできるであろう。
【００４７】
Ｃ．移動体ユニット（ＭＵ）
各ＭＵは固有のインターネットプロトコル（ＩＰ）アドレスが与えられている。イントラネット通信とインターネット通信の両方が可能であるように、ＩＰアドレスはネットワークＩＤアドレスと同じにしてもよい。好ましい実施例の場合、ユーザーはＭＵ上のボタンを用いてコマンドを送ることによってＰＢＸの音声メール機能にアクセスすることができる。別の好ましい実施例の場合、ユーザーが情報を要求すると、コマンドがＨＩＵコントローラへ送られ、ＨＩＵコントローラはその要求を適当なサーバーまたは他のネットワーク装置へ送る。次に、その情報はＨＩＵを通じてＭＵへ伝送される。データはパックドデータ通信技術を用いて伝送されるが、上に述べた通信ネットワークは実時間通信リンクを確立するだけのスループットを提供する。
【００４８】
図１１に示した好ましい実施例の場合、ＭＵ２００はＬＡＮ２１０上の別のＭＵ２０２からまたはＰＢＸ２２０を通じて呼出しを受け取るため電話機として使用される。ＰＢＸ２２０の呼出し者ＩＤ機能、またはＭＵからのＩＤアドレスのどちらかを使用して、入ってきた呼出し者を識別することができる。呼出し者ＩＤはＨＩＵ２３０へ送られ、各ＭＵユーザーごとにプログラムされた常連呼出し者テーブル２５０と比較される。（別の好ましい実施例の場合、呼出しはＰＢＸまたはＬＡＮ内の別の装置から直接にＭＵによって受け取られる。優先順位テーブル２５０はＭＵのプロセッサのメモリの中に常駐している。）テーブル２５０は、ユーザーが行った選択に従って呼出しに優先順位を付けたあと、ＭＵ２００または音声メールシステム２６０へ送る。音声メールシステム２６０は、ＨＩＵ２３０、ＰＢＸ２２０、またはネットワーク上のサーバー内に常駐することができる。ＭＵ２００へ送られた呼出しは、異なる優先順位呼出しに弁別的リングを割り当てることによって、さらに細かく優先順位を付けることができる。高い優先順位の呼出しはあるタイプのリングを持つのに対し、より低い優先順位の呼出しは別タイプのリングをもつであろう。音声メッセージは、ＭＵ２００上で閃光または表示画面上のメッセージによって指示される。音声メッセージにアクセスする前に、ユーザーはＭＵ２００上のボタンを押して、呼出し者の名前とメッセージを受け取った日時を示すメッセージのメニューを表示するようにＨＩＵ２３０に命令する。次に、ユーザーはＭＵ２００上のボタンを押して、すべてのメッセージ、または選択したメッセージだけを表示するように命令する。
【００４９】
優先順位テーブル２５０は、さらに、ＨＩＵ２３０に、またはイーサネット上の別の装置たとえばサーバーに格納されたデータへのリンクを含むことができる。優先順位テーブル２５０は呼出し者を識別し、もしそれが優先呼出しであれば、呼出しは直ちにＭＵ２００へ送られ、呼出し者の割り当てられた優先順位レベルに基づいて弁別的リングを起動させる。同時に、ＭＵの画面は呼出し者の名前のリストと呼出し者に関する関連情報（たとえば呼出し者の所属と肩書）を表示する。ユーザーが追加情報を要求する場合には、ボタンを押せば、画面はユーザーがアクセスできる追加情報のメニューを表示するであろう。そのような情報は、製品目録、注文状態、支払いおよび受取り可能な口座、会議メモ、呼出し者との以前の会話記録、および呼出し者に関する個人情報（たとえば呼出し者の家族の名前）を含むことができる。
【００５０】
手を使わずにＭＵを操作できるように、ＭＵはマイクロホン用のポートとレシーバ用のポート、または両方の機能を組み合わせた単一ポートを備えることができる。これにより、ユーザーはＭＵの画面を見ながら呼出し者と会話をし、そしてＭＵ上のボタンを押して遠隔ファイルからのデータにアクセスすることができる。
【００５１】
ＭＵが音声通信用に構成されている場合は、ＭＵはＰＢＸの音声メールシステムのすべての機能にアクセスすることができる。ユーザーは、メッセージを受け取り、メッセージをスキップし、メッセージを削除または保存し、新しい告知またはメッセージを記録し、呼出しを別の場所へ送り、自分の場所のアドレスを変更し、メッセージの注意事項（reminder) をスケジュールし、ネットワークを通じてメッセージをブロードキャストすることができる。ユーザーは、さらに、ＰＢＸ内のオンラインディレクトリシステムを使用して、ＰＢＸエクステンションによって、またはＬＡＮを通じて別のユーザーに接続することができる。
【００５２】
コンピュータによる音声認識には、ディジタル変換と音声識別を実行する高品質の音声信号と相当な処理能力が必要である。ディジタル無線通信はアナログ無線信号では得られない高品質の音声信号が得られる。高品質のディジタル無線信号は音声認識処理機能をＭＵのプロセッサからＨＩＵへ、またはより大きな処理能力をもつまたは受信端側の別の装置へ移すことを許す。従って、本発明により、ＭＵのユーザーは遠隔装置に格納された機密ファイルに対する安全機密検査として音声処理システムを使用すること、すなわちテキストファイルとして保存される手紙またはメッセージを口述することができる。ユーザーは、ＭＵを通じて口述して遠隔場所から電子メールを送ったり、あるいはキーボードへのアクセスを持たないとき音声処理システムを使用して手紙を作成することができる。
【００５３】
図１２は、本発明の携帯端末の中に使用した電話通信システムの好ましい実施例のブロック図である。図１２において、ＰＣＭ  ＣＯＤＥＣ（コーダ／デコーダ）チップ３３０はＣＴ８０１５ＤＳＰ（ディジタル信号プロセッサ）チップ３２０と、６８０５プロセッサチップ３１０に接続されている。このチップセットは、ディジタル入力ユーザーインタフェース３０１とＲＯＭに格納された電話プログラム３０２を備えた端末の通信部に接続されている。電話プログラム３０２は、ＳＰＥＣＴＲＵＭ２４（登録商標）無線ＰＣＭＣＩＡカード３０４を通じてパケット切替えデータを通信するＴＣＰ／ＩＰスタックまたは他のプロトコルスタック３０３を利用している。音声入出力装置は、普通の電話ハンドセットと同様にユーザーの耳と口の近くに置かれ、エコーを与えるように構成されているので、ユーザーはマイクロホンに話しているとき自分が言っていることを聞くことができる。この構成は、端末をユーザーの頭まで持ち上げて使用するどんなシステム（たとえば図４に示したシステム）においても好ましい。
【００５４】
６８０５プロセッサチップ３１０はＣＴ８０１５ＤＳＰチップ３２０とシリアルポート３０５の間でデータのパケットを送ったり、受け取ったりする。ユーザーインタフェース・ソフトウェアはディスプレイ上のＩＰアドレスの選択を識別するように設計される。代わりに、ユーザーインタフェース３０１は、単に電話要求メッセージを送り、ワイヤレス通信リンクを通じてコントローラから「電話通信チャンネルオープン」コマンドが受け取られるのを待つこともできるであろう。
【００５５】
電話プログラムはメモリ常駐（ＴＳＲ）プログラムであり、ユーザーインタフェースデータを処理すること、パケットをＳＰＥＣＴＲＵＭ２４（登録商標）ネットワークから／へルートすること、およびパケットをローカルＣＴ８０１５チップから／へルートすることを含む、音声通信の実際の処理を扱う。電話プログラム３０２は、さらに、ＣＴ８０１５チップ３２０でハンドシェーキング手順を実行する。
【００５６】
図１３は、電話通信アプリケーションを実行するため本発明の装置内に使用することができるアーキテクチャーの好ましい代替実施例を示す。図１２に示したアーキテクチューは電話通信アプリケーションをｃｏｍポートｃｏｍ１を通じて加えなければならないシステムにおいて好ましい。図１３に示したアーキテクチャーは電話通信アプリケーションをシステムアーキテクチャーの一体部分として構築しなければならないシステムにおいて好ましい。
【００５７】
Ｄ．  電話
図１４は、ＭＵがワイヤレスディジタル電話機８００である本発明の好ましい実施例を示す。電話機８００は、メッセージ、呼出し者ＩＤ、ユーザーが入力したデータとコマンドを表示するための液晶ディスプレイ（ＬＣＤ）８０１と、電話番号とデータを入力するための１２ボタンキーパッド８１１を備えている。イヤピース８０９とマイクロホン８０４は音声通信に使用される。電話機８００の好ましい実施例の場合、ユーザーが電話機８００で話しながら、ＬＣＤ８０１を見てキーパッド８１１を操作できるように、ヘッドセットおよびマイクロホンを接続するポート８２２が設けられている。ユーザーは、音声通信の音量を音量調節ボタン８０６で調節することができる。このボタンはさらに交互スクロールとして構成することもできる。データはキーパッド８１１を使用して入力され、データが入力されると、画面８０１に表示される。画面８０１が一杯のときは、入力ボタン８０７を押せば、データは送信ボタン８１３を押すことによって送信されるまで、電話機のメモリに保存される。これにより、データの複数画面を単一送信で送ることができる。さらに、電話機８００は、呼出しまたはメッセージを受け取り中であることを示す閃光して知らせるＬＥＤインジケータ８１０を備えている。電話機８００は、さらに、いろいろなリングとトーンを含む複数の音声告知を備えており、呼出しまたはメッセージを告知するため振動するようにプログラムすることができる。電話機８００はホスト装置（たとえば金銭登録機またはＰＣ）にハードウェアで構成することもできるし、あるいは無線通信のためアンテナ８１２を使用することもできる。電話機のワイヤレス実施例を用いてる場合は、電話機８００にバッテリーを再充電するための接続部８０８が設けられる。
【００５８】
電話機８００は、ＨＩＵに接続されたアクセスポイントを通じて音声＆データネットワークへ、または直接にイーサネットまたはトークンリングネットワークへアクセスする。電話機８００はネットワークＩＤまたはＩＰアドレスを使用してネットワーク上の装置へ接続する。電話機８００はＲＳ２３２シリアルポート８１５が設けられており、シリアルポート８１５はＶＴ１００互換端末インタフェースを通じて代替ユーザーインタフェースとしてを含む多数の機能に使用することができるる。電話機８００が埋込み型システムの一部として使用しようとするとき、このシリアルポート機能により、他の装置またはコンピュータシステムは電話機のユーザーインタフェースを制御することができる。シリアルポート８１５は、そのほかに、電話機としての使用と同時に、シリアルクライアントブリッジとして使用することもできる。ユーザーは周辺装置をシリアルポート８１５に接続して、ワイヤレスネットワークにアクセスすることができる。シリアルポート８１５は、データリンク、ＴＣＰ、ＵＤＰ、および Telnet サポートを含む、シリアルクライアントブリッジのためストリームモードとパケットモードの両方をサポートする。シリアルポート８１５をシリアルクライアントブリッジとして使用するとき、システムを電話機８００、ユーザーインタフェース、またはシリアルクライアントブリッジのシリアルコマンド言語のいずれかによって再構成することができる。
【００５９】
電話機８００の好ましい実施例は、パーシャルネットワークＩＤまたはＩＰアドレス、ラストナンバーリダイヤル、スピードダイヤル、音声認識を使用して名前でを含む、複数のダイヤル操作モードを有している。電話機８００は、さらに、呼出し者の電話番号と名前と場所がＬＣＤ８０１に表示されるように、呼出し者ＩＤが与えられている。電話機８００の別の好ましい実施例は、全ネットワークの隅からすみまでまたは複数の指定アドレスへメッセージをブロードキャストするようにプログラムすることができる intercom モードを備えている。電話機８００は、さらに、ユーザーが２つの同時呼出しを切り替えることを許す「呼出し待機」機能を備えている。電話機８００は、ITU H.323 , IEEE 802.11 , Truespeech 8.3  および G.711  を含む、ディジタル無線送信用の規格でコンパイルする。
【００６０】
図１４に示した電話機８００は標準電話キー（０−９，＊，＃）から成るキーパッド８１１と、ＬＣＤ画面８０１を備えている。これらのキーはダイヤル操作や他の特殊タスクに使用することができ、押されるとデュアルトーン複数周波数（ＤＴＭＦ）音を発生する。ファンクション（ＦＣＴ）ボタン８１７は、特定の機能を選択するために、キーパッド８１１と組み合わせて使用される。メニュー（ＭＥＮＵ）ボタン８１６はページャー操作機能やシステム構成機能を含む電話のメニューモードにアクセスするのに使用される。リコール（ＲＣＬ）ボタン８０８はダイヤルした最後の１０の電話番号をリコールするのに使用され、このキーを繰り返して押すと、電話機８００はダイヤルした最後の１０の電話番号を反復する。送信（ＳＮＤ）ボタン８１３を押すと、最も近い時点に選択された電話番号を使用して呼出しが行われる。ＲＣＬボタン８１８の後に００〜９９（すなわち２けた）の番号を押すと、２けたに対応するスピードダイヤルエントリがＬＣＤ８０１に表示される。その後、ユーザーはＳＮＤボタン８１３を押して、呼出しを開始する。
【００６１】
ネーム（ＮＡＭ）ボタン８１９は電話機のネームダイヤル操作機能にアクセスするのに使用される。ＮＡＭボタン８１９を押すと、ＬＣＤ８０１はアルファベット順に列挙された名前のリストを表示する。ユーザーは、スクロールボタン８０６か、または“＊”ボタン８０３と“＃”ボタン８０２に含まれているスクロールキーのどちらかを使用して名前のリストをスクロールすることができる。ユーザーは、ＮＡＭボタン８１９の後にキーパット８１１上の番号キー０〜９を押すことによって、別の文字で始まる名前へスキップすることができる。ＬＣＤ８０１は数字キーに対応付けられた文字で始まる名前を表示する（すなわち“６”を押すと、文字Ｍ，Ｎ，Ｏで始まる名前がリストされる）。
【００６２】
送信（ＳＮＤ）ボタン８１３は、ダイヤル操作シーケンスを終了させるためと、呼出し処理セットアップを開始させるために使用される。ＳＮＤボタン８１３は、さらに、入ってくる呼出しを受け取るため、すなわち呼出しが既に成立したとき「閃光」信号として使用することができる。そのほかに、もし電話機８００の電源をオフにしたあと２秒以上の間、ＳＮＤボタン８１３を下に保持すれば、電話機８００の電源がオンになる。ＥＮＤボタン８１４は呼出しを終了させるためと、入ってくる呼出しを拒否するために使用される。ＥＮＤボタン８１４を２秒以上の間下に保持すると、電話機８００の電源はオフになる。
【００６３】
ＨＯＬＤボタン８０５は現呼出しを保留にして、第２の呼出しを行うこと、または受け取ることを可能にする。ＨＯＬＤボタン８０５は、さらに、２つの呼出しを切り替えるのに使用される。クリヤ（ＣＬＲ）ボタン８２０はダイヤル操作エラーや他の入力エラーを訂正するのに使用される。このボタンを押すと、入力した最後のキャラクタが削除される。記憶（ＳＴＯ）ボタン８２１はキーパッド８１１を使用して入力された番号、またはＲＣＬボタン８１８を押することによってＬＣＤ８０１に表示された番号を記憶させるのに使用される。ユーザーは、さらに、番号をダイヤルし、次にＳＴＯボタン８２１を押し、続いて２けたを押して（スピードダイヤルアドレスを指定するため）、スピードダイヤル索引にその番号を追加することができる。さらに、ユーザーが呼出し者に接続するとき、ＳＴＯボタン８２１を押すと（２けたと一緒に）、接続した電話相手の番号がスピードダイヤル索引に記憶される。記憶される番号のフォーマットは、どのように接続する電話相手に達するかによって、ＩＰアドレスか拡張（extension)のどちらかである。
【００６４】
電話機８００は、ＬＣＤ８０１に表示された種々のリストやメニューをスクロールするのに使用される一対のアップ／ダウン・スクロールボタン８０６を備えている。これらのボタン８０６は、そのほかに、現呼出しの音量を調節するのにも使用される。選択ボタン８０７はＬＣＤ８０１上の特定の項目（たとえばメニュー上の項目またはリストから名前）を選択するのに使用される。
【００６５】
電話機８００は主としてそのＩＰアドレスによってアドレスされるが、ＩＰアドレスに対応付けられた追加アドレスをもつことができる。この対応付けは電話機のプロセッサまたはＨＩＵの中で行うことができる。追加アドレスの対応付けは、ＰＢＸまたは他の遠隔場所から電話機８００をアドレスする必要性や、ユーザーに便利であるなど、さまざまな理由によって行われる。電話機８００をアドレスするための出発点は、各電話機８００がステップアップ手順の一部として電話機８００に組み込まれた固有のＩＰアドレスを持つことである。各電話機８００は、そのほかに、ＩＰサブネットマスクとデフォルトゲートウェイアドレスを持っている。接続管理プロトコル（International Telecommunications Standard ( “ITU ”) H.323 ) はＩＰアドレスに基づいているので、ＩＰアドレスはＭＡＣアドレスと一緒に、電話機８００の「実際の」アドレスである。電話機８００を外部ＰＯＴＳシステムおよび／またはＰＢＸに接続するには、ＩＰアドレス単独では不十分である。非ＩＰ電話機によって電話機８００がアドレスされるように、電話機８００は拡張（extension)」アドレスを必要とする。この拡張アドレスは１けたから５けたに及ぶことがあり、通例は普通の７または１０けたの電話番号の最下位部分である。同様に、ＩＰ電話機８００が非ＩＰ電話機に接続するためには、拡張アドレスはＩＰ電話機８００によって必要とされる。
【００６６】
各電話機８００は、ＩＰアドレスに対応付けることができる拡張番号を有する。拡張番号は他のＩＰ電話機に対応することがある。他の拡張番号はＰＢＸ上の非ＩＰ電話機の「実際の」アドレスである。拡張内のけたの数はすべての電話機に対し定数であり、サイト固有の原則で定められる。拡張子からＩＰアドレスまたはＰＢＸラインへの対応付けも同様にサイト固有であり、すべたの電話機について同じである。対応付けは各電話機８００へダウンロードされ、電話機のフラッシュメモリに記憶される。拡張番号をダイヤルするとき、対応付けはユーザーにとってトランスペアレントであろう。ＰＢＸ（またＰＯＴＳ）とＩＰ電話システム間のゲートウェイには、拡張のＩＰアドレスに対する同じ対応付けが入っている。
【００６７】
拡張（extension)のほかに、システムは、さらに、「名前」をＩＰアドレスまたは拡張のどちらかに対応付ける。名前は最大１６のＡＳＣＩＩ文字列にすることができる。それらの名前は拡張またはＩＰアドレスのどちらかに対応付けられる。この対応付けはサイト固有の原則でグローバルであり、各電話機８００にダウンロードされ、電話機のフラッシュメモリに記憶される。名前はアルファベット順に分類され、その対応付けはユーザーにとってトランスペアレントである。拡張と同様に、名前はオプション機能であり、ＩＰ電話操作に必要でない。電話機のユーザーは、名前対応付けの代わりに、完全または部分ＩＰアドレスを使用することができる。
【００６８】
電話機８００は局所的に定義された「スピードダイヤル」メカニズムを備えている。電話機８００はユーザーによってプログラムされた最大１００の「２けた」スピードダイヤル番号を持つことができる。各番号は最大２０の文字に対応付けられ、テキストストリングとして電話機のメモリに記憶される。スピードダイヤル対応付けは各電話機８００に局限されており、ユーザーはいつでも変更することができる。
【００６９】
電話機８００はいろいろなダイヤル操作メカニズムをサポートする。それらの中に、完全ＩＰアドレスのダイレクトエントリ、部分ＩＰアドレスのダイレクトエントリ、「拡張」のダイレクトエントリ、「スピードダイヤル」操作、前の番号のリダイヤル、内部でＩＰアドレスに対応付けられた「名前」の使用、および外線にアクセスするための“９”が含まれる。ダイヤル操作プロセスは、“＊”ボタン８０３または“＃”ボタン８０２、リコール（ＲＣＬ）ボタン８０８、どちらかのスクロールキー８０６、またはＮＡＭボタン８１９を含むダイヤル操作関連ボタンのどれかを押すことによって始まる。もし押された最初のキーが数字キー（０〜９）であれば、電話機８００は拡張がダイヤルされていると考える。ユーザーはサイト管理責任者が定義した拡張を識別するため適当な数のキーを入力する。番号はＬＣＤ８０１に表示される。間違いはＣＬＲボタン８２０によって除去することができる。各キーが押されると、対応するＤＴＭＦ音が発生する。呼出しセットアッププロセスはＳＮＤボタン８１３を押すことによって始まる。ダイヤル操作プロセスはＥＮＤボタン８１４を押すことによっていつでも終了させることができる。
【００７０】
もし最初のキーが“＊”ボタン８０３であれば、電話機８００はＩＰアドレスが入力されていると考える。ユーザーはＡ，Ｂ，Ｃ，Ｄフォーマットを使用して部分または完全ＩＰアドレスを入力することができる。ここで、値Ａ，Ｂ，等は０〜２５５デシマルである。「ドット」は“＊”ボタン８０３で入力される。間違いはＣＬＲボタン８２０で訂正される。アドレスはＬＣＤ８０１に表示される。各キーを押すと「クリック」が発生するが、ＤＴＭＦ音は発生しない。もし間違ったアドレスが入力されれば、「ビープ音」が発生する。各３けた列（すなわち各ドット間の値）について、アドレス値のチェックが実行される。ＳＮＤボタン８１３を押すことによって、アドレスは終了し、呼出しセットアッププロセスが開始される。もし部分ＩＰアドレス（すなわち４未満のドットをもつ値）が入力されれば、電話機８００は自分自身のＩＰアドレスを使用して、ＩＰアドレスの残りの部分を充てんする。「充てん」は８ビットのグループで行われる。従って、もしユーザーが“＊”ボタン８０３の後に、１〜３けた（“Ｘ”と呼ばれる値を有し、０〜２５５にすることができる）を押し、その後ＳＮＤボタン８１３を押せば、得られたアドレスはＡ．Ｂ．Ｃ．Ｘ  である。ここで、Ａ，Ｂ，Ｃは電話機自身のＩＰアドレスから来ている。同様に、もしユーザーが＊Ｘ＊Ｙを入力し、その後ＳＮＤボタン８１３を押せば、得られたアドレスはＡ．Ｂ．Ｘ．Ｙである。
【００７１】
もし最初のキーがＲＣＬボタン８１８であれば、ダイヤルした最後の番号がＬＣＤ画面８０１に表示される（実質上「リダイヤル」コマンド）。ユーザーがＳＮＤボタン８１３を押すと、呼出しセットアッププロセスが始まる。ユーザーがＲＣＬボタン８１８を繰り返して押すと、電話機８００はダイヤルした最後の１０の番号を反復する。電話機８００は行われた各呼出しのアドレスをＬＩＦＯ待ち行列構造に格納するので、ユーザーはＲＣＬボタン８１８を使用してこの待ち行列にアクセスすることができる。所望の番号が見つかったら、ユーザーはＳＮＤボタン８１３を押して、呼出しセットアッププロセスを開始させる。もしユーザーがＬＩＦＯ待ち行列内の番号のどれをも使用したくなければ、ＥＮＤボタン８１４を押して、電話機８００をプリダイヤリング状態へリセットする。
【００７２】
ＭＥＮＵボタン８１６、ＮＡＭ〔Ｅ〕ボタン８１９、または他の類似のボタンを押すと、電話機８００は対応するモードに置かれる。もしユーザーがＲＣＬボタン８１８を押し、次に１または２けたを入力すれば、対応するスピードダイヤルエントリがフェッチされ、ＬＣＤ８０１に表示される。ユーザーはスクロールボタン８０６でスピードダイヤル値を上下にスクロールすることができる。ユーザーがＳＮＤボタン８１３または選択ボタン８０７のどちらかで、リストされた番号の１つを選択すれば、呼出しセットアッププロセスが開始される。
【００７３】
もしＮＡＭ〔Ｅ〕ボタン８１９を押せば、名前のリストがＬＣＤ８０１にアルファベット順に表示される。ユーザーはスクロールキー８０６を使用して、またはＦＣＴボタン８１７と“＊”ボタン８０３または“＃”ボタン８０２のどちらかを押すことによって、名前を端から端までスクロールすることができる。ユーザーはＮＡＭ〔Ｅ〕ボタン８１９を押したあと、数字キーを押すことによって別の文字で始まる名前へジャンプすることができる。各数字キーはそれに対応付けられた一組のキャラクタを持っている。表示された名前は数字キーと対応付けられた第１文字で始まる名前である。たとえば、数字“７”キーを押すと、文字“Ｐ”で始まる名前のリストが表示される。その後、ユーザーは上または下にスクロールして所望の名前に達することができる。代わりに、ユーザーが別の数字キーを押すと、そのキーに対応付けられた第１文字に相当する名前が表示される。同じ数字キーを繰り返して押すと、そのキーに対応付けられた文字で始まる名前が循環する。たとえば、ＮＡＭボタン８１９の後に“７”キーを押すと、“Ｐ”で始まる名前が表示される。“７”キーを再び押すと、文字“Ｒ”で始まる名前が表示される。“７”キーを再度押すと、文字“Ｓ”が表示される。４回押すと、“Ｐ”で始まる名前が再び表示される。所望の名前を見つけたら、ユーザーは選択ボタン８０７および／またはＳＮＤボタン８１３のどちらかを押す。選択ボタン８０７を押すと、選択した名前とＩＰアドレスが表示される。ＳＮＤボタン８１３を押すと（最初に選択ボタン８０７を押して、または押さずに）、呼出しセットアッププロセスが開始される。そのほか、名前プロセスはどちらかのスクロールボタン８０６を押すことによって開始させることもできる。
【００７４】
押された第１キーが“９”であると、電話機８００は外線（ＰＯＴＳ回線）に接続する。その後、ユーザーは普通の電話番号を入力する。発信音を受け取った後、ユーザーは電話機のキーによって発生したＤＴＭＦ音を使用して電話番号をダイヤルすることができる。すべてのケースで、ユーザーはＥＮＤボタン８１４を押すことによって、いつでもダイヤル操作を終了することができる。
【００７５】
電話機８００は、呼出しをどのように受け取るか（または拒絶するか）を決める幾つかの異なる呼出し受信モードをサポートする。これらのモードの中に、「自動応答」、「単一キー応答／拒絶」、および「任意キー応答」がある。呼出しを受信したときはいつでも、ユーザーは好みのベル音と、ＬＣＤ８０１に表示された電話相手のアドレス／名前によって知らされる。ユーザーはＥＮＤボタン８１４を押すことによって呼出しを拒絶することができる。呼出し者から見ると、単に呼出しに対して応答がないように見える。
【００７６】
ユーザーは異なる呼出し受信モードのために電話機８００を修正することができる。「自動応答」モードは、１回のベルのあと呼出しに応答し、ユーザーは処置をとらない。呼出しは即座に接続される。「単一キー応答」モードの場合、呼出しを受け取るためユーザーがＳＮＤボタン８１３を押す必要がある。他のどのボタン（ＥＮＤボタン８１４を除く）を押しても効果はない。「任意キー返答」モードの場合、呼出しを受け取るためユーザーは任意のキー（ＥＮＤキー８１４を除く）を押すことができる。ヘッドホンを使用し、電話機８００をベルトに取り付けた場合には、このモードにより、ユーザーはすぐ電話機８００にタッチして呼出しに応答することができる。
【００７７】
電話機８００は２つの同時通話をサポートすることができる。ユーザーはＨＯＬＤボタン８０５を使用して、２つの呼出しを切り替える。保留機能を使用すると、電話機８００は普通の電話機上の「呼出し待ち（call waiting) 」に似た動作をするが、多少の追加の特徴を有する。ユーザーは一般に第１の呼出しを確立している。入ってきた第２の呼出しはイヤピース８０９に送られた音で指示される。その時点で、ユーザーはＨＯＬＤキー８０５を押して第２の呼出しへ切り替える。ユーザーはＬＣＤ８０１を見て呼出し者を識別し、ＳＮＤボタン８１３またはＥＮＤボタン８１４によって呼出しを受け取るか、または拒絶することができる。呼出しを受け取る場合には、第２の呼出しが接続され、第１の呼出しは保留状態にされる。ユーザーはＨＯＬＤボタン８０５を使用して、２つの呼出しの間であちこち切り替えることができる。代わりに、ユーザーはＨＯＬＤボタン８０５を押すことによって既存の呼出しを保留状態にし、第１の呼出しを終了させずに、第２の呼出しを始めることができる。各呼出しは他の呼出しから独立しており、各呼出しの状態はＬＣＤ８０１に表示される。保留状態にある呼出しは、呼出し者がまだ接続されていることを指示する規則的なビープ音を受信する。好ましい実施例の場合、保留状態のユーザーへ録音した音楽を送ることができる。一方の呼出しがＰＢＸまたはＰＯＴＳ回線を通じている場合、電話機８００はＩＰ電話機と２つの同時呼出し間の複数通話をサポートすることができる。
【００７８】
電話機８００はブロードキャスト（すなわちインターコム）形式の通信に使用することができる。このモードの場合、ユーザーは多数の他の電話機へメッセージを「ブロードキャスト」することができる。入ってくるメッセージは直ちに各ユーザーへ配送されるが、メッセージを受信するユーザーは呼出しに応答する必要がない。ブロードキャスト・メッセージを受け取り、現呼出しを強制排除するように、またはブロードキャスト・メッセージが呼出しに割り込むのを防止するように、各電話機を修正することができる。ブロードキャストに興味のない電話相手への割り込みを最小にするために、ブロードキャストを指定された電話機または電話機のサブセットに送信者が制限することができる。ブロードキャスト・メッセージのために利用できるチャンネルは８つあるので、任意の数（０を含む）のチャンネルでメッセージを受け取るように、各電話機８００を修正することができる。選択されなかったチャンネル上のブロードキャスト・メッセージは黙って廃棄される。
【００７９】
ユーザーは幾つかの異なる仕方でブロードキャストに応答することができる。最初に、ユーザーはメッセージを聞き、それ以上の措置を取らなくてもよい。第２に、ユーザーは呼出しを行っている人を呼び出すことができる。これは通常のダイヤル操作によって、またはＦＣＴボタン８１７で行うことができる。第３に、ユーザーは基本ブロードキャスト機構を使用して、「ブロードキャスト返答」をすることができる。ブロードキャスト・メッセージを受け取った後、ユーザーがブロードキャスト・メッセージに対し容易に返答できるように、ブロードキャストチャンネルは５秒間電話機のデフォルトチャンネルになる。
【００８０】
電話機８００はＦＣＴボタン８１７によってアクセスすることができる多くの特殊ファンクションをサポートする。特殊ファンクションは一時的操作であり、まれに使用されるタスクを含む。もしもっと多くのキーが利用可能であったならば、そのようなタスクには、キーが割り当てられたであろう。ＦＣＴボタン８１７を使用して入力されたコマンドは、電話機８００を永久的に修正しない。ユーザーがＦＣＴボタン８１７を押すと、利用可能なファンクションのリストがＬＣＤ８０１に表示される。ユーザーはＵＰ／ＤＯＷＮボタン８０２、８０３と選択ボタン８０７を使用してリストを端から端までスクロールしてファンクションを選択することもできるし、あるいは数字キー８１１でファンクションコードを入力することもできる。電話機８００はユーザーが指定したファンクションばかりでなく、標準ファンクションをサポートすることができる。それらのファンクションの中に、ブロードキャストモード、ブロードキャストの折り返し電話、呼出しの転送、ベル音量／種類、音量レベル、応答モード、バッテリ状態、ネットワーク状態、およびエンターペイジャー（enter pager)モードが含まれる。
【００８１】
ＭＥＮＵボタン８１６は、ペイジャー・ファンクションにアクセスして電話機８００を修正するのに使用される。ＭＥＮＵボタン８１６を押すと、ＬＣＤ８０１は一組のメニューを表示する。このメニューは、ページメッセージを送って表示し、電話機のネットワークパラメータを修正し、診断を実行し、統計量を調べる、などに使用することができる。メニューモードにある時、電話機８００は呼出しを受け取る。もしユーザーが呼出しに応答すれば、電話機８００はメニューモードから出る。ユーザーは入ってくる呼出しをＦＣＴボタン８１７によって完全に不能にすることができる。メニューモードから修正することができるパラメータの一部としては、ＩＰアドレッシング、ＩＰアドレス、サブネットマスク、デフォルトゲートウェイ、ワイヤレスＬＡＮパラメータ、ＮｅｔＩＤ（すなわち拡張サービスセット“ＥＳＳ”）、および好まれたアプリケーションプログラミング・インタフェース（“ＡＰＩ”または基本サービスセット“ＢＳＳ”）がある。
【００８２】
メニューモードは、そのほかに、ベル音の音量と種類をセットするのに使用することができる。ベルの種類には、音声（いろいろな様式のベルで）、振動器モーター、およびフラッシュ画面が含まれる。メニューモードは、そのほかに、電話８００の応答モード（すなわち自動応答モード、単一キー応答モード、任意キー応答モード）を制御すること、呼出しの受取りを不能にすること、スピードダイヤルリストを編集すること、およびブロードキャストメッセージを受け取ることができる電話機８００上のチャンネルとデフォルト出力チャンネルを指定することに使用することができる。
【００８３】
電話機８００は、さらに、Telnet  操作モードをサポートする。その場合、ユーザーは遠隔システムネットワークにそのシステムのユーザーとして直接合図する。Telnet TCP/IP は遠隔端末接続性のための標準インターネットプロトコルである。この操作モードでは、ユーザーはホストマシンにテルネット接続を行って、電話機８００をテルネット端末として使用する。キー８１１は、テルネットＶＴ１００互換端末の正規キーの限定サブセットに対応付けられている。テルネットモードがアクティブのとき、電話機８００は一度に１アクティブ電話呼出しに制限される。しかし、ユーザーは２つの電話呼出し間の切替えとほぼ同じやり方で、ＨＯＬＤキーで音声モードとデータモードの間であちこち切り替えることができる。
【００８４】
図１５は、電話機８００がケーブル８２６で金銭登録機８２５に接続されている本発明の好ましい実施例を示す。代替実施例では、電話機８００はワイヤレス電話機であり、ディジタル無線通信によって金銭登録機８２５と通信する。金銭登録機８２５は、さらに、バーコードスキャナを備えることもできる。金銭登録機８２５と電話機８００は、金銭登録機８２５とＨＩＵまたはＰＢＸの間で音声およびデータを通信するため同じ無線機を共用する。
【００８５】
図１６は、複数の無線信号をホスト装置へ接続するためのアクセスポイントとして使用される無線通信カード８３０のブロック図を示す。無線通信カード８３０は、周波数ホッピング拡散スペクトル無線通信のための無線通信回路８３１、無線通信回路８３１をカード８３０上の他の構成部品にインタフェースするためのインタフェース回路８３２、中央処理装置（ＣＰＵ）８３３、フラッシュＲＯＭ８３５、スタティックＲＡＭ８３４、およびバワー管理サポート機能とシステム統合機能を提供するＲＣＭＣＩＡインタフェース８３６から成っている。ＩＳＡ（Industry Standard Architecture) カード８３８はホスト装置にプラグ接続されており、無線通信カード８３０をホスト装置のバス８４０にインタフェースするブリッジチップ８３９を含んでいる。無線通信カード８３０は、さらに、アンテナ８３７のための接続部を有する。アンテナ８３７は無線通信カード８３０上に設置することもできるし、ホスト装置の内部または外部アンテナに接続することもできる。無線通信カード８３０はＩＳＡカード８３８上に設置することもできるし、ホスト装置のＰＣＭＣＩＡポートに接続することもできる。
【００８６】
図１７は、電話機８００がハードワイヤード接続部８２６によってホスト装置８２５に接続されている、図１５に示した本発明の実施例のブロック図である。無線通信カード８５０はホスト装置内に配置されており、無線通信回路８５１、無線通信インタフェース８５２、ＳＣＲＡＭ８５３、フラッシュＲＯＭ８５４、ＣＰＵ８５５、およびＰＣＭＣＩＡインタフェース８５６から成っている。無線通信カード８５０は、さらに、電話機８００をサポートする回路を有している。この回路は電話機のＬＣＤ８５７とキーパッド８５９のための回路のほかに、ディジタル信号プロセッサ（ＤＳＰ）８５８とコーダー／デコーダー（ＣＯＤＥＣ）８６０を含んでいる。ＤＳＰ８５８は音声通信を処理する手段を提供し、ＣＯＤＥＣ８６０は音声通信をコード化およびデコード化する手段を提供する。無線通信カード８５０はブジッジチップ８７１を通じてホスト装置のバス８８０に接続している。
【００８７】
音声通信は無線通信カード８５０内で処理され、コード化／デコード化され、ＩＴＵ規格Ｈ．３２３に従ってディジタルパケットとして無線によって送信される。これらの情報のディジタルパケットは、規格ＴＣＰ／ＩＰおよび他の標準化通信プロトコルを用いてデータを送信／検索する第３共同サーバーと通信するのに使用される。これにより、電話機のユーザーはインタネットで通信することができるほか、インターネット上のサイトにアクセスすることができる。
【００８８】
図１８は、電話機が無線通信カード８５０Ａを内蔵しているワイヤレス電話機である、本発明の好ましい実施例のブロック図である。電話機はホスト装置内の無線機、たとえば図１６に示した無線機と無線で通信する。ホスト装置は他の機能（たとえばバーコードスキャナ）をサポートすることもできるコンピュータである。ホスト装置は無線通信によってＨＩＵと通信することもできるし、ネットワーク（たとえばイーサネット、またはトークンリングネットワーク）によってＨＩＵに接続することもできる。ネットワークは、ネットワークに接続されたＰＢＸを通じて電話機によって、あるいはＨＩＵに接続された中央局電話回線によって、遠隔装置と通信することができる。電話機のユーザーはホスト装置を通じてネットワークまたは外部電話回線にアクセスして、音声およびデータ通信することができる。
【００８９】
図１９は、本発明のＭＵの別の好ましい実施例を示す。スキャナ１２０は、ディスプレイ１１０、プラスキー１０３、マイナスキー１０２、および２個のスクロールキー１０６Ａ，１０６Ｂを備えている。端末は、そのほかに、情報キー１５６とヘルプキー１５５を備えている。情報キー１５６は表示された項目に関する情報を提供するのに使用できる。ヘルプキー１５５はディスプレイに表示されたデータの形でユーザーを支援するのに使用できる。端末が音声機能を備えているときは、特定の音声メッセージング機能のために追加キーを加えることができる。ヘルプキー１５５は遠隔場所のオペレータとの音声通信回線を自動的に開くことができる。
【００９０】
図２０は、本発明のためのページャー９００の好ましい実施例を示す。ページャー９００はディジタルラジオを備えており（図１８はページャーのラジオのブロック図を示す）、ＡＰを通じてＬＡＮに接続し、一方向または双方向ページングを提供する。メッセージはスタンプが押された日時と一緒にＬＣＤ９０２に表示され、メッセージはページャーのメモリに永久に保存することができる。メッセージはブザーまたは振動器によってユーザーに知らされる。ページャー９００はＬＡＮの中で通信するためＨＩＵに接続することができ、さらにＨＩＵがイーサネットまたはトークンリングネットワークまたは中央局電話回線（Central Office telephone line)によってＰＢＸに接続されているときは、遠隔装置と通信することができる。ユーザーはページャー９００のメモリ内のプログラムされた応答のメニューを使用して、メッセージに対し応答することができる。ユーザーはメニューをスクロールし、自分が送りたいと思う応答を選択し、その応答を送信する。ページャー９００は、さらに、インターネットページング能力を備えており、ネットワークに接続されたＰＣで電子メールを受け取ったとき、メッセージを表示するように修正することができる。
【００９１】
好ましい実施例の場合、ページャーはメッセージの読取り、点検、削除、送信、および編集のための５方向ボタン９０４を備えている。５方向ボタン９０４は、カーソルを上下または左右にスクロールするためと、ＬＣＤ９０２に表示された項目を選択するために使用できる４つの位置を有する。選択した情報はメッセージに応じて送信することもできるし、５方向ボタン９０４の第５の位置を使用してメッセージを発信することもできる。ページャー９００を使用しないときは、ユーザーはオン／オフボタン９０６でページャーをオフにすることができる。ページャー９００はＰＢＸまたはコンピュータの音声メール機能にアクセスし、ＬＣＤ９０２にメッセージを表示することができる。ページャー９００はそのあとそれらのメッセージを保存することもできるし、あるいはそれらを他のユーザーまたはデータ記憶装置８（たとえば自分のＰＣまたはネットワーク上のサーバーへ送ることもできる。ページャー９００は、さらに、異なる優先順位レベル呼出しおよび異なる呼出し者を区別するために、マルチトーン呼出し者ＩＤを備えることができる。また、電話メッセージをファックスおよび電子メールから区別するために、別個のトーンを割り当てることもできる。
【００９２】
別の好ましい実施例においては、システムはユーザーの好みのプロフィールに合う関連情報を含む走査した項目について、連係ページを自動的に作成する。システムは、データのページへのハイパーリンクが示される所定のテンプレート（を使用している動的ページビルダー（dynamic page builder) を用いるであろう。ページが使用中の端末についてディスプレイの表示限界を越える場合には（すなわち、単一ディスプレイ上で利用できる以上に多くの行を必要とする）、ページビルダーは携帯端末に表示すべき「次ページ」リンクを自動的に作成する。動的ページビルダー・プログラムは、さらに、外部ウェブページアドレスへリンクが与えられた場合には、オーバーライド機能を許す。ＨＩＵは、携帯端末のネットワークＩＤまたはＩＰアドレスを使用して、ネットワーク上の装置から、または遠隔サイトからＰＢＸ（たとえば、インターネットサーバー）を通じてファイルを検索し、情報を携帯端末へ送る。ＨＩＵによって送られた情報は、部分ビュー画面能力を有するだけかもしれない宛て先の携帯端末に適用できる書式変更制約を含んでいるであろう。得られたデータのコレクションを指示された場所（たとえば、ユーザーのオフィス内のＰＣ）へ、または電子メール伝送によって動かすために、携帯端末上でコマンドを入力することができる。もしＭＵがＰＣであれば、データはデータ収集媒体（たとえばスマートカードまたはフロッピィディスク）に保存することができる。
【００９３】
本発明の好ましい実施例では、ＨＩＵは、さらに、ＭＵから遠隔装置へデータをアップロードする手はずを整えている。従って、ユーザーはＭＵを使用して、生成されたデータまたはネットワークに接続されたＰＣまたはサーバーに格納されたデータをＰＢＸを通じて遠隔場所へ送ることができる。ユーザーは、さらに、ＭＵからインターネットに合図して、ファイルを電子メールメッセージに付けることができる。
【００９４】
本発明のさらに別の実施例では、ユーザーはＨＩＵを通じてＰＣ４５（図１）にアクセスすることもできるし、代わりに、ＨＩＵはユーザーがアクセス可能な、しかしパスワードで保護されたウェブページを入手できる。
【００９５】
図２１は、本発明の好ましい代替実施例を示す。この実施例では、音声ヘッドセット５５０は携帯端末７０へ（から）データを通信するため狭帯域ラジオを使用している。長時間にわたって携帯端末を使用する場合は、端末７０のバッテリを補うために着用可能なバッテリパック５６０を準備するとよい。好ましい代替実施例の場合は、係員が容易に使用できるように、端末を着用可能な設計にすることができる。そのような着用可能な設計の例が、米国特許第５，５１４，８１６号、同第５，２５０，７９０号、同第５，５４３，６１０号、同第５，３４０，９７２号、同第５，１９１，１９７号、同第５，４１０，１４０号、および同第５，４１６，３１０号に記載されている。
【００９６】
別の好ましい実施例では、図２１に示すように、使用が容易な軽量バーコードスキャナが使用されている。ベルト５６０は、モジューラパック５６１〜５６４によって必要なすべての端末機能を備えることができる。バッテリ５６１は、ＣＰＵコンポーネント５６２、無線通信モジュール５６２、メモリボード５６３、および音声／ビデオモジュール５６４で補うことができる。これらのシステムはヘッドセット５５０、手首装着型ディスプレイ、およびワイヤレス・リングスキャナと通信するであろう。これらのコンポーネントはＣＰＵコンポーネント５６２への多重チャンネル通信を許すワイヤレス通信データ回線を使用することが好ましい。またベルトモジュールは可撓ケーブルコネクタデータバスを使用して接続されることが好ましい。
【００９７】
ここに説明した本発明の実施例は、出願人が現在考えている本発明の好ましい実施例を提供することを意図している。ここに説明した例に基づいて、本発明から逸脱せずに、説明した好ましい実施例に多くの修正を施すことができることは、この分野の専門家には明らかであろう。たとえば、携帯端末は、 Simbol Technologies, Inc.  から入手できる着用可能な端末や、ここに説明した他の携帯端末を含む、多くの形態をとることができる。そのほかに、図形ユーザーインタフェースもまた、多くの異なる提示計画として具体化することができる。従って、ここに記載した実施例は本質的に単なる例示であり、本発明のすべての考えられる実施例を表すことを意図していない。
【図面の簡単な説明】
【図１】本発明の好ましい実施例を使用しているシステムのブロック図である。
【図２】本発明の携帯端末の好ましい実施例である。
【図３】本発明の携帯端末の好ましい実施例の基本的サブコンポーネントの機能ブロック図である。
【図４】自己走査アプリケーションに使用された本発明の好ましい代替実施例である。
【図５】図４に示した携帯端末の断面図である。
【図６】本発明のシステムのいろいろな構成の機能ブロック図である。
【図７】本発明のシステムのいろいろな構成の機能ブロック図である。
【図８】本発明のシステムのいろいろな構成の機能ブロック図である。
【図９】本発明のシステムのいろいろな構成の機能ブロック図である。
【図１０】本発明のシステムのいろいろな構成の機能ブロック図である。
【図１１】本発明の好ましい実施例を使用している呼出し優先順位化システムのフローチャートである。
【図１２】本発明の携帯端末に使用された電話通信システムの好ましい代替実施例の一般的な機能ブロック図である。
【図１３】本発明の携帯端末に使用された電話通信システムの好ましい代替実施例の一般的な機能ブロック図である。
【図１４】本発明に使用したワイヤレス電話機の好ましい実施例である。
【図１５】金銭登録機およびディジタル電話機の好ましい実施例である。
【図１６】いろいろな電話機の好ましい実施例と、ホスト装置のバスに接続しているアクセスポイントの機能ブロック図である。
【図１７】いろいろな電話機の好ましい実施例と、ホスト装置のバスに接続しているアクセスポイントの機能ブロック図である。
【図１８】いろいろな電話機の好ましい実施例と、ホスト装置のバスに接続しているアクセスポイントの機能ブロック図である。
【図１９】自己走査アプリケーションに使用された本発明の好ましい代替実施例である。
【図２０】自己走査アプリケーションに使用された本発明の好ましい別の代替実施例である。
【図２１】顧客の注文に応じる際に係員によって使用される端末システムの好ましい代替実施例である。
【符号の説明】
１０  サイト
１２Ａ〜１２Ｅ  移動体ユニット
１３Ａ，１３Ｂ  アクセスポイント（ＡＰ）
１４  ＨＩＵ
１６  ＬＡＮ
２０  サイト
２２Ａ〜２２Ｄ  移動体ユニット
２３Ａ，２３Ｂ  アクセスポイント（ＡＰ）
２４  ＨＩＵ
２６  ＬＡＮ
３０  広域通信ネットワーク
３２  サーバー
３４  ＰＣ
３６  ＰＢＸ
４０  インターネット
４２  サーバー
７０  携帯端末
７１  マイクロホン
７２  ディスプレイ
７３  ペン
７４  スピーカー
７４Ａ  接続ポート
７６〜７８  ユーザーファンクションを実行する起動ボタン
７５  スキャナ
７９Ａ  再構成キー
８０  ワイヤレスラジオ
７０１  ＣＰＵ
７０２  ラジオ
７０４  走査サブシステム
７０５  ビデオサブシステム
７０６  電話サブシステム
７０７  データ入力装置
７０８  ＥＡＳタグ起動化／非起動化回路
１００  携帯端末
１０１  入力ボタン
１０２  プラスボタン
１０３  マイナスボタン
１０４  スピーカー
１０５  マイクロホン
１０６  マルチコンタクト・ナビゲーションパッド
１０６Ａ，１０６Ｂ  スクロールキー
１０７  再充電可能なバッテリ
１０７Ａ，Ｂ  バッテリ再充電端子
１０８  ラジオ
１１０  ディスプレイ
１１１  主回路ボード
１２０  スキャナ
１２０Ａ  スキャンエンジン
１２２  バーコードラベル
１５５  ヘルプキー
１５６  情報キー
２００，２０２  ＭＵ
２１０  ＬＡＮ
２２０  ＰＢＸ
２３０  ＨＩＵ
２５０  優先順位テーブル
２６０  音声メールシステム
３０１  データ入力ユーザーインタフェース
３０２  電話プログラム
３０３  プロトコルスタック
３０４  ＰＣＭＤＩＡカード
３０５  シリアルポート
３１０  ６８０５プロセッサチップ
３２０  ＤＳＰチップ
３３０  ＰＣＭ  ＣＯＤＥＣチップ
５５０  音声ヘッドセット
５６０  ベルト
５６１  バッテリ
５６２  ＣＰＵコンポーネント
５６２Ａ  ラジオモジュール
５６３  メモリモジュール
５６４  音声／ビデオモジュール
６００  ＨＩＵ
６０２  ＣＯ
６０５  ＨＵＢ
６１０，６１２  ＡＰ
６１２Ａ〜６１２Ｃ  ＭＵ
６１４  ＡＰ
６１４Ａ〜６１４Ｃ  ＭＵ
６１５  ＨＵＢ
６１６  ＨＵＢ（図９ではＡＰ）
６１６Ａ〜６１６Ｃ  ＭＵ
６２０  ＡＰ
６２２Ａ〜６２０Ｃ  ＭＵ
６３０  ＰＢＸ
６４０  サーバー
６４５  プリンタ
６５０  ＷＡＮ
６５４  トークンリングネットワーク
６５５  ＰＣ
６７０  ＬＡＮ
６７５  ルーター
６８０  ＬＡＮ
６９０  ＷＡＮ
８００  ワイヤレスディジタル電話機
８０１  ＬＣＤ
８０２  “＃”ボタン
８０３  “＊”ボタン
８０４  マイクロホン
８０５  ＨＯＬＤボタン
８０６  スクロールボタン
８０７  選択ボタン
８０８  再充電用接続部
８０９  イヤピース
８１０  ＬＥＤインジケータ
８１１  キーパッド
８１２  アンテナ
８１３  ＳＥＤボタン
８１４  ＥＮＤボタン
８１５  ＲＳ２３２シリアルポート
８１６  ＭＥＮＵボタン
８１７  ＦＣＴボタン
８１８  ＲＣＬボタン
８１９  ＮＡＭボタン
８２０  ＣＬＲボタン
８２１  ＳＴＯボタン
８２２  ポート
８２５  金銭登録機
８２６  ケーブル（図１７では、ハードワイヤード接続）
８３０  無線通信カード
８３１  無線通信回路
８３２  インタフェース回路
８３３  ＣＰＵ
８３４  ＳＲＡＭ
８３５  フラッシュＲＯＭ
８３６  インタフェース回路
８３７  アンテナ
８３８  ＩＳＡカード
８３９  ブリッジ回路
８４０  ＰＣバス
８５０  無線通信カード
８５１  無線通信回路
８５２  インタフェース回路
８５３  ＳＲＡＭ
８５４  フラッシュＲＯＭ
８５５  ＣＰＵ
８５６  インタフェース回路
８５７  ＬＣＤ
８５８  ディジタル信号プロセッサ（ＤＳＰ）
８５９  キーパッド
８６０  コーダー／デコーダ（ＣＯＤＥＣ）
８６１  アンテナ
８７１  ブリッジチップ
８８０  ＰＣバス
９００  ページャー
９０２  ＬＣＤ
９０４  ５方向ボタン
９０６  オン／オフボタン
【図１】
0004377982.tif 000002
【図２】
0004377982.tif 000003
【図３】
0004377982.tif 000004
【図４】
0004377982.tif 000005
【図５】
0004377982.tif 000006
【図６】
0004377982.tif 000007
【図７】
0004377982.tif 000008
【図８】
0004377982.tif 000009
【図９】
0004377982.tif 000010
【図１０】
0004377982.tif 000011
【図１１】
0004377982.tif 000012
【図１２】
0004377982.tif 000013
【図１３】
0004377982.tif 000014
【図１４】
0004377982.tif 000015
【図１５】
0004377982.tif 000016
【図１６】
0004377982.tif 000017
【図１７】
0004377982.tif 000018
【図１８】
0004377982.tif 000019
【図１９】
0004377982.tif 000020
【図２０】
0004377982.tif 000021
【図２１】
0004377982.tif 000022